【手続補正書】
【提出日】平成24年8月27日(2012.8.27)
【手続補正１】
【補正対象書類名】特許請求の範囲
【補正対象項目名】全文
【補正方法】変更
【補正の内容】
【特許請求の範囲】
【請求項１】
シャッター羽根を駆動するシャッター駆動部材と、
前記シャッター駆動部材を付勢するシャッターばねと、
前記シャッターばねのチャージが完了した状態で前記シャッター駆動部材を固定する固定状態と、前記固定状態を解除する解除状態とに切り替わるシャッターチャージ手段と、
前記シャッターチャージ手段を駆動する駆動手段と、
前記シャッターチャージ手段による前記シャッターばねのチャージが完了したか否かを判定する第１の判定手段と、
撮影光路に侵入するミラーダウン状態と撮影光路から退避するミラーアップ状態とに切り替わるミラーと、
前記ミラーの前記ミラーダウン状態から前記ミラーアップ状態への切り替えが可能な状態になったか否かを判定する第２の判定手段と、
前記第１の判定手段によって、前記シャッターばねのチャージが完了したと判定される際に、前記第２の判定手段によって前記ミラーが前記ミラーダウン状態から前記ミラーアップ状態へ切り替え可能な状態になったと判定される場合には、前記シャッターチャージ手段を前記固定状態で停止させることなく、前記解除状態まで駆動するように、前記駆動手段を制御する制御手段と、
を有することを特徴とする撮像装置。
【請求項２】
前記制御手段は、前記第１の判定手段によって、前記シャッターばねのチャージが完了したと判定される際に、前記第２の判定手段によって前記ミラーが前記ミラーダウン状態から前記ミラーアップ状態へ切り替え可能な状態になったと判定されない場合には、前記シャッターチャージ手段を前記固定状態で停止させ、前記第２の判定手段によって前記ミラーが前記ミラーダウン状態から前記ミラーアップ状態へ切り替えが可能な状態になったと判定されたのち、前記シャッターチャージ手段を前記固定状態から前記解除状態まで駆動するように、前記駆動手段を制御する
ことを特徴とする請求項１に記載の撮像装置。
【請求項３】
前記ミラーを前記ミラーダウン状態と前記ミラーアップ状態との間で駆動するミラー駆動用モーターをさらに有し、
前記第２の判定手段は、前記ミラー駆動用モーターによる前記ミラーの前記ミラーダウン状態への駆動が完了したと判定される際に、前記ミラーの前記ミラーダウン状態から前記ミラーアップ状態への切り替えが可能な状態になったと判定する
ことを特徴とする請求項１又は２に記載の撮像装置。
【請求項４】
前記ミラーが前記ミラーダウン状態のときに焦点検出処理が可能となる焦点検出手段をさらに有し、
前記第２の判定手段は、前記焦点検出処理が完了したと判定される際に、前記ミラーが前記ミラーダウン状態から前記ミラーアップ状態へ切り替え可能な状態になったと判定する
ことを特徴とする請求項１又は２に記載の撮像装置。
【請求項５】
前記ミラーが前記ミラーダウン状態のときに測光処理が可能となる測光手段をさらに有し、
前記第２の判定手段は、前記測光処理が完了したと判定される際に、前記ミラーが前記ミラーダウン状態から前記ミラーアップ状態へ切り替え可能な状態になったと判定する
ことを特徴とする請求項１又は２に記載の撮像装置。
【請求項６】
前記第２の判定手段は、前記ミラーが前記ミラーアップ状態から前記ミラーダウン状態への切り替えを開始してからあらかじめ設定した時間が経過したと判定される際に、前記ミラーが前記ミラーダウン状態から前記ミラーアップ状態へ切り替え可能な状態になったと判定する
ことを特徴とする請求項１又は２に記載の撮像装置。
【請求項７】
前記第２の判定手段は、撮影に必要な空き容量が画像メモリに確保されていると判定される際に、前記ミラーが前記ミラーダウン状態から前記ミラーアップ状態へ切り替え可能な状態になったと判定する
ことを特徴とする請求項１又は２に記載の撮像装置。
【手続補正２】
【補正対象書類名】明細書
【補正対象項目名】０００７
【補正方法】変更
【補正の内容】
【０００７】
本発明の１つの側面に係る撮像装置は、シャッター羽根を駆動するシャッター駆動部材と、前記シャッター駆動部材を付勢するシャッターばねと、前記シャッターばねのチャージが完了した状態で前記シャッター駆動部材を固定する固定状態と、前記固定状態を解除する解除状態とに切り替わるシャッターチャージ手段と、前記シャッターチャージ手段を駆動する駆動手段と、前記シャッターチャージ手段による前記シャッターばねのチャージが完了したか否かを判定する第１の判定手段と、撮影光路に侵入するミラーダウン状態と撮影光路から退避するミラーアップ状態とに切り替わるミラーと、前記ミラーの前記ミラーダウン状態から前記ミラーアップ状態への切り替えが可能な状態になったか否かを判定する第２の判定手段と、前記第１の判定手段によって、前記シャッターばねのチャージが完了したと判定される際に、前記第２の判定手段によって前記ミラーが前記ミラーダウン状態から前記ミラーアップ状態へ切り替え可能な状態になったと判定される場合には、前記シャッターチャージ手段を前記固定状態で停止させることなく、前記解除状態まで駆動するように、前記駆動手段を制御する制御手段と、を有することを特徴とする。
【手続補正３】
【補正対象書類名】明細書
【補正対象項目名】００１０
【補正方法】変更
【補正の内容】
【００１０】
（第１の実施形態）
本発明の第１実施形態に係る撮像装置１を、図１を用いて説明する。撮像装置１は、レンズユニット３００と本体１００とを備える。
【手続補正４】
【補正対象書類名】明細書
【補正対象項目名】００２９
【補正方法】変更
【補正の内容】
【００２９】
ミラー制御部４１は、ミラー駆動機構（図示せず）を介して、ミラー１３０を（一点鎖線で示す）ミラーアップ位置又は（実線で示す）ミラーダウン位置に駆動する。ミラー制御部４１は、ミラー駆動用モーター４１ａを含む。ミラー駆動用モーター４１ａは、撮像センサ１３へ至る撮影光路ＯＰ１からミラー１３０を退避させたミラーアップ状態とその撮影光路ＯＰ１へミラー１３０を侵入させたミラーダウン状態とを切り替えるように動作する。
【手続補正５】
【補正対象書類名】明細書
【補正対象項目名】００７５
【補正方法】変更
【補正の内容】
【００７５】
Ｓ５０９において、システム制御回路５０は、シャッター先羽根緊定駆動部材４０６によりシャッター先羽根緊定レバー４０５を退避することで、シャッター先羽根群４１３を走行させる。その後、所定のタイミングで、シャッター後羽根緊定駆動部材４１２によりシャッター後羽根緊定レバー４１０を退避することで、シャッター後羽根群４１４を走行させる。ここでは、Ｓ５０２の測光結果に応じた露出制御値に基づき、上記の所定のタイミングの制御をおこなう。
【手続補正６】
【補正対象書類名】明細書
【補正対象項目名】００９０
【補正方法】変更
【補正の内容】
【００９０】
Ｓ６１６において、システム制御回路５０の制御部５０ｂは、シャッター駆動用モーター４１ｂを停止させるブレーキ処理を行う。すなわち、制御部５０ｂは、シャッター駆動用モーター４１ｂにブレーキをかけ、解除状態（図２（ｂ）参照）で停止させる。制御部５０ｂは、シャッター駆動用モーター４１ｂを停止させた後、処理をＳ６１５へ進めるための待機状態に移行させる。
【手続補正７】
【補正対象書類名】明細書
【補正対象項目名】００９２
【補正方法】変更
【補正の内容】
【００９２】
Ｓ６１２において、システム制御回路５０の判定部５０ａは、ミラーアップ開始フラグＭＵＰ＿ＦＬＧを確認することにより、ミラー駆動用モーター４１ａによるミラーダウン状態からミラーアップ状態への切り替えが可能な状態になったか否かを判定する。システム制御回路５０の制御部５０ｂは、ミラーアップ開始フラグＭＵＰ＿ＦＬＧを確認し、ミラーアップ開始フラグＭＵＰ＿ＦＬＧに１がセットされるまで、つまりミラーアップ動作が許可されるまで待つ。すなわち、制御部５０ｂは、ミラーアップ開始フラグＭＵＰ＿ＦＬＧに１がセットされていない場合、つまりミラーアップ動作が許可されていない場合（Ｓ６１２でｎｏ）、Ｓ６１２を繰り返す。制御部５０ｂは、ミラーアップ開始フラグＭＵＰ＿ＦＬＧに１がセットされている場合、つまりミラーアップ動作が許可されている場合（Ｓ６１２でｙｅｓ）、処理をＳ６１３へ進める。
【手続補正８】
【補正対象書類名】明細書
【補正対象項目名】００９５
【補正方法】変更
【補正の内容】
【００９５】
システム制御回路５０は、Ｓ６０６から待機状態へ移行とＳ６１４からへの待機状態への移行との双方の条件が成立すると、処理をＳ６１５へ進める。
【手続補正９】
【補正対象書類名】明細書
【補正対象項目名】００９６
【補正方法】変更
【補正の内容】
【００９６】
Ｓ６１５において、システム制御回路５０は、シャッター先羽根緊定駆動部材４０６によりシャッター先羽根緊定レバー４０５を退避することで、シャッター先羽根群４１３を走行させる。その後、所定のタイミングで、シャッター後羽根緊定駆動部材４１２によりシャッター後羽根緊定レバー４１０を退避することで、シャッター後羽根群４１４を走行させる。ここでは、Ｓ５０２の測光結果に応じた露出制御値に基づき、上記の所定のタイミングの制御をおこなう。
【手続補正１０】
【補正対象書類名】明細書
【補正対象項目名】００９８
【補正方法】変更
【補正の内容】
【００９８】
（第２の実施形態）
次に、本発明の第２実施形態における撮像装置１の動作について、図６のフローチャートを用いて説明する。以下では、第１実施形態と異なる部分を中心に説明する。
【手続補正１１】
【補正対象書類名】図面
【補正対象項目名】図１
【補正方法】変更
【補正の内容】
【図１】
2011048194.tif 000001